(57)【要約】      （修正有）【課題】ＬＣ形プラグのように狭小ピッチで配設される光コネクタプラグに遮光プレートを簡易に設ける。【解決手段】光ファイバケーブルの先端に取り付けられたフェルールと該フェルールを前方に付勢する弾性部材とを内包する筒状のコネクタハウジングと、前記コネクタハウジングの外側に摺接自在に囲堯され前記フェルールの前位置で遮光する湾曲した遮光プレート７の一端部を内壁に固定して前後方向に移動できる筒状の可動ハウジング８とが設けられてなる光コネクタプラグであり、光コネクタプラグとアダプタとの嵌合途中で可動ハウジングが後方に移動することにより、可動ハウジングに固定されている湾曲した遮光プレートが直線状に延ばされ、フェルール先端が可動ハウジング先端部より突出する。【選択図】図１
2011013606.tif 000002
【特許請求の範囲】
【請求項１】
光ファイバケーブルを中心部に挿通させるとともに外周部に掴み部と係合用ロック部を有する係止ハウジングと、
前記光ファイバケーブルの先端に取り付けられたフェルールと該フェルールを前方に付勢する弾性部材とを内包する筒状のコネクタハウジングと、
前記係止ハウジングの後部に被覆される保護部材と、
前記コネクタハウジングの外側に摺接自在に囲堯され前記フェルールの前位置で遮光する湾曲した遮光プレートの一端部を内壁に固定して前後方向に移動できる筒状の可動ハウジングと、
前記可動ハウジングを前方向に付勢する弾性部材と、
前記可動ハウジングの側壁には、嵌合相手のアダプタ嵌合用開口部の側縁部に当接するように突出して、且つ当該可動ハウジングの内側に没入できる待避可能突起と、
前記コネクタハウジングの側壁には、前記可動ハウジングの待避可能突起が待避すべき所望の位置で内側に待避できるようにする待避用逃げ部とが設けられてなる光コネクタプラグであり、
前記光コネクタプラグとアダプタとの嵌合途中で可動ハウジングが後方に移動することにより、前記可動ハウジングに固定されている湾曲した遮光プレートが直線状に延ばされ、フェルール先端が可動ハウジング先端部より突出し、
前記コネクタハウジングの側壁の待避用逃げ部に、前記可動ハウジングの待避可能突起が移動すると当該待避可能突起が内側へ没入することにより、光コネクタプラグとアダプタが嵌合完了しロック部が係合すること、
を特徴とする光コネクタプラグ。
【発明の詳細な説明】
【技術分野】
【０００１】
本発明は、光コネクタプラグに関するものである。
【背景技術】
【０００２】
従来、光コネクタプラグでは、防塵化と遮蔽化のために、シャッター付きの光コネクタプラグが提供されている（特許文献１参照）。また、ＬＣ形光コネクタプラグは、海外の光通信網において仕様化されたコネクタであるが、近年では、我が国にも仕様化されて多数使用されるようになっている。係るＬＣ形光コネクタは、光通信事業のグローバル化に伴い通信距離若しくは通信データ量の拡大により、光源の高出力化が進んでいる。
【先行技術文献】
【特許文献】
【０００３】
【特許文献１】特開２００８−１７６２９７号公報
【発明の概要】
【発明が解決しようとする課題】
【０００４】
しかし、従来のＬＣ形の光コネクタプラグにおいては、遮蔽機能と防塵機能を有したシャッターを設けたものが存在していない。更に、小型であるＬＣ形の光コネクタプラグに適した簡易なシャッターが提供されていないという課題がある。本発明に係る光コネクタプラグは、このような課題を解決するために提案されたものである。
【課題を解決するための手段】
【０００５】
本発明に係る光コネクタプラグの上記課題を解決して目的を達成するための要旨は、
光ファイバケーブルを中心部に挿通させるとともに外周部に掴み部と係合用ロック部を有する係止ハウジングと、前記光ファイバケーブルの先端に取り付けられたフェルールと該フェルールを前方に付勢する弾性部材とを内包する筒状のコネクタハウジングと、前記係止ハウジングの後部に被覆される保護部材と、前記コネクタハウジングの外側に摺接自在に囲堯され前記フェルールの前位置で遮光する湾曲した遮光プレートの一端部を内壁に固定して前後方向に移動できる筒状の可動ハウジングと、前記可動ハウジングを前方向に付勢する弾性部材と、前記可動ハウジングの側壁には、嵌合相手のアダプタ嵌合用開口部の側縁部に当接するように突出して、且つ当該可動ハウジングの内側に没入できる待避可能突起と、前記コネクタハウジングの側壁には、前記可動ハウジングの待避可能突起が待避すべき所望の位置で内側に待避できるようにする待避用逃げ部とが設けられてなる光コネクタプラグであり、前記光コネクタプラグとアダプタとの嵌合途中で可動ハウジングが後方に移動することにより、前記可動ハウジングに固定されている湾曲した遮光プレートが直線状に延ばされ、フェルール先端が可動ハウジング先端部より突出し、前記コネクタハウジングの側壁の待避用逃げ部に、前記可動ハウジングの待避可能突起が移動すると当該待避可能突起が内側へ没入することにより、光コネクタプラグとアダプタが嵌合完了しロック部が係合することである。
【発明の効果】
【０００６】
本発明の光コネクタプラグによれば、遮蔽機能と防塵機能を備えた遮光部材を、高出力
の光コネクタプラグであるＬＣ形コネクタプラグに装備することが出来るようになる。
この遮光部材を装備して前後方向に移動する可動ハウジングは、アダプタの嵌合用開口部に衝突して後方に自動で移動する、また、アダプタから引き抜いたときも、コネクタ
ハウジングに対して弾性部材の付勢力で前方に移動して遮光部材で遮光する。
前記可動ハウジングの待避用突起が、嵌合時において、コネクタハウジングの待避用逃げ部の位置に達した後は、前記突起が没入して可動ハウジングが嵌合相手のアダプタの開口部から中へとコネクタハウジングとともに挿入される。よって、嵌合操作に特別な操作を必要としない。
また、アダプタから引き抜く時も同様に、ロック用の爪を押して外して引き抜くだけでよい。よって、作業熟練度の低い人手も容易に、且つ、安全に取り扱うことができる。更に、嵌合相手のアダプタは、既存のものであって、既に中継交換局などにおいて使用されているものに対して、本発明の光コネクタプラグをそのまま適用できるものである。
【図面の簡単な説明】
【０００７】
【図１】本発明に係る光コネクタプラグ１の全体斜視図（ａ），（ｂ）である。
【図２】同本発明の光コネクタプラグ１で、可動ハウジング８を取り除いた状態の斜視図である。
【図３】同光コネクタプラグ１の平面図（ａ）と、その断面図（ｂ）とである。
【図４】同光コネクタプラグ１の正面図（ａ），側面図（ｂ），同縦断面図（ｃ）である。
【図５】同光コネクタプラグ１において、可動ハウジング８を後退させてフェルール３を露出させた状態の、正面図（ａ），側面図（ｂ），平面図（ｃ），側面視した縦断面図（ｄ）である。
【図６】同光コネクタプラグ１における係止ハウジング２の斜視図（ａ），（ｂ）である。
【図７】同光コネクタプラグ１における係止ハウジング２の断面図である。
【図８】同光コネクタプラグ１におけるコネクタハウジング４の斜視図（ａ），（ｂ）である。
【図９】同光コネクタプラグ１におけるコネクタハウジング４の断面図である。
【図１０】同光コネクタプラグ１における可動ハウジング８の斜視図（ａ），（ｂ）である。
【図１１】同光コネクタプラグ１における可動ハウジング８の断面図である。
【図１２】遮光プレート７の斜視図（ａ），（ｂ）である。
【図１３】弾性部材のコイルスプリング９と、そのガイド棒９ａの平面図である。
【図１４】本発明に係る光コネクタプラグ１の嵌合相手となるアダプタ１０の正面図（ａ），側面図（ｂ）である。
【図１５】本発明に係る光コネクタプラグ１を、嵌合相手となるアダプタ１０に装着する様子を段階的に示す、一部を破断した側面図（ａ）と平面視断面図（ｂ）、一部を破断した側面図（ｃ）と平面視断面図（ｄ）、一部を破断した側面図（ｅ）と平面視断面図（ｆ）である。
【図１６】本発明に係る光コネクタプラグ１を、嵌合相手となるアダプタ１０に装着する様子を段階的に示す、一部を破断した側面図（ａ）と平面視断面図（ｂ）、一部を破断した側面図（ｃ）と平面視断面図（ｄ）である。
【発明を実施するための形態】
【０００８】
本発明に係る光コネクタプラグは、図１に示すように、前後方向に移動自在な可動ハウジング８、戻し用の弾性部材９、及び遮光プレート７により、自動的に遮光すると共に防塵作用もさせるようにするものである。
【実施例１】
【０００９】
本発明の光コネクタプラグ１は、図１乃至図３に示すように、光通信用の光ファイバケーブルを中心部に挿通させて保持するとともに外周部に掴み部２ａと係合用ロック部２ｂを有する係止ハウジング２と、該係止ハウジング２に前方から差し込まれて係止され前記光ファイバケーブルの先端のフェルール３を保護する筒状のコネクタハウジング４と、前記フェルール３を常に前方に付勢する弾性部材５と、前記係止ハウジング２の後部に被覆される保護部材６と、前記コネクタハウジング４の外側に摺接自在に囲堯され前記フェルール３の前位置で光信号を遮光する遮光プレート７と、該遮光プレート７の一端部を内壁に固定して備えて前後方向に移動できる筒状の可動ハウジング８と、前記可動ハウジング８を常に前方向に付勢する弾性部材９とからなるものである。
【００１０】
前記係止ハウジング２は、図６乃至図７に示すように、中央部に前後方向に沿って光ファイバケーブルを挿通させる貫通孔２ｃがあり、後方の筒部２ｄに前記保護部材であるブーツ６の先端部が挿入され嵌合される。また、側壁の係合突起２ｅは、コネクタハウジング４の後端部４ａに嵌合させた後に係止させる為にある。更に、前方に向いている細長い半円導入孔２ｆは、前記弾性部材９を挿入して配設するためにある。
【００１１】
前記コネクタハウジング４は、図２および図８乃至図９に示すように、細長い筒体である。このコネクタハウジング４を、その後端部を前記係止ハウジング２の前部に差込込んで嵌合させると、図２に示すように、側壁に設けられた係止孔４ａに前記係止ハウジング２の係合突起２ｅが係合する。また、この側壁において前記係止孔４ａの少し前にある細長い四角形状の孔４ｂは、待避用逃げ部である。この第１実施例では内外に貫通した孔になっているが、勿論、同じ作用を発揮する凹部であっても良い。
【００１２】
更に、図９に示すように、この筒体の前後方向の貫通孔４ｃは、前部側で孔径が小さくなり窄まっていて、この部分で光ファイバケーブルの先端に取り付けられたフェルール３の一部分だけが前方に突出するようになる窄状部４ｄとなっている。
【００１３】
前記可動ハウジング８は、図１および図１０乃至図１１に示すように、細長い筒体であり、前記コネクタハウジング４を内包し前方に突出させた状態で、摺動自在に装着されるものである。この可動ハウジング８の側壁８ａに、この光コネクタプラグ１の嵌合相手のアダプタ（図１４参照）１０の嵌合用開口部１０ｂの側縁部１０ｃに当接する待避可能突起８ｂが設けられている。
【００１４】
前記待避可能突起８ｂは、内側に押されると、前記コネクタハウジング４の側壁に設けられた待避用逃げ部の孔４ｂに逃げ込むことができる。また、前記内側に押す力が除かれると、再び支持部８ｃの弾性及び弾性部材９により、可動ハウジングが前方へ移動することにより、図１０に示す元の状態に戻るものである。なお、前記支持部８ｃは、両端部から支持させてあるが、片持ち支持でも良い。
【００１５】
図１１にて示す突起８ｄは、図１２に示す遮光プレート７を係止させるためのものであり、底壁に設けられている。また、この可動ハウジング８の上面には、図１３に示す弾性部材である細長いコイルスプリング９とこれをガイドするガイド棒９ａとを挿着する為のガイド部８ｅが設けられている。なお、この可動ハウジング８が前記弾性部材９によって常に前方へ付勢されているので、前記コネクタハウジング４から抜け出で脱落しないように、係止溝８ｆが設けられている。
【００１６】
前記遮光プレート７は、図１２に示すように、前記可動ハウジング８の突起８ｄに嵌合させる取付孔７ａが設けられ、湾曲した遮光部７ｂとなっている一枚板の弾性体である。図１４に示すアダプタ１０は、この光コネクタプラグ１の嵌合相手であって、既存のものである。
【００１７】
以上のようにして構成される光コネクタプラグ１を、図１５乃至図１６に示すように、相手方のアダプタ１０に嵌合させる場合を説明する。図１５（ａ），（ｂ）に示すように、光コネクタプラグ１の係止ハウジング２を指で掴んで、アダプタ１０の開口部１０ｂに向かって差し込む。同図１５（ｃ），（ｄ）に示すように、先に可動ハウジング８の前部がアダプタ１０の中に入る。そして、可動ハウジング８の側壁８ａにある待避可能突起８ｂが、前記開口部１０ｂの側縁部１０ｃに衝突する（図１４参照）。
【００１８】
前記待避可能突起８ｂは、可動ハウジング８の内側のコネクタハウジング４の側壁があるので、内側に待避することができない。よって、更に押し込まれた分だけ、図１５（ｅ），（ｆ）に示すように、可動ハウジング８がそのまま留まっていて、その内側のコネクタハウジング４が弾性部材９の付勢力に抗して前進し、可動ハウジング８に固定されている遮光プレート７の湾曲部７ｂが直線状に延ばされて、フェルール３が可動ハウジング８の先端部から前に突出する。光コネクタプラグ１は、図４に示す状態から図５に示す状態になる。
【００１９】
そして、図１５（ｅ），（ｆ）に示すように、フェルール３が接続用のカップリング１１に挿入され、可動ハウジング８がコネクタハウジング４に対して相対的に後退する。可動ハウジング８が完全に後退すると、前記待避可能突起８ｂの位置が前記コネクタハウジング４の待避用逃げ部としての孔４ｂの位置に対応する。すると、挿入用の押圧力で前記側縁部１０ｃによって後方に押されていた前記待避可能突起８ｂが、押圧力の分力で内側に落ち込んで支持部８ｃの弾性力に抗して撓む。
【００２０】
前記待避可能突起８ｂが内側の前記孔４ｂに没入し待避したことで、可動ハウジング８も前記アダプタ１０に更に入り込むことが出来るようになる。図１６（ａ），（ｂ）に示すように、前記可動ハウジング８は前記コネクタハウジング４とともに、アダプタ１０の接続空間部の中に入り込む。そして、図１６（ｃ），（ｄ）に示すように、係止ハウジング２の係合用ロック部２ｂの一部がアダプタ１０の係止部１０ｄに係合する。
【００２１】
前記光コネクタプラグ１を前記アダプタ１０から抜くと、待避可能突起８ｂが開口部１０ｂの内部にあるときは、この可動ハウジング８とコネクタハウジング４とが一緒に後退し、開口部１０ｂから外に出ると待避可能突起８ｂが支持部８ｃの弾性力及び弾性部材９により、可動ハウジングが前方へ移動することにより元の位置に復帰する。そして、相対的に前方に移動した可動ハウジング８によって、再び延ばされていた遮光プレート７が自動的に湾曲してフェルール３の前方を閉鎖する。
【産業上の利用可能性】
【００２２】
本発明に係る光コネクタプラグ１は、狭小ピッチでアダプタが併設される場合でも、開口部の大きさを変えることなく遮光プレートを開閉できるため、他のコネクタに適用することができるものである。
【符号の説明】
【００２３】
１          光コネクタプラグ、
２          係止ハウジング、            ２ａ              掴み部、
２ｂ        係合用ロック部、            ２ｃ              貫通孔、
２ｄ        筒部、                      ２ｅ              係合突起、
２ｆ        半円導入孔、
３          フェルール、
４          ハウジングコネクタ、        ４ａ              係止孔、
４ｂ        待避用逃げ部としての孔、    ４ｃ              貫通孔、
４ｄ        窄状部、
５          弾性部材、
６          保護部材、
７          遮光プレート、              ７ａ              取付孔、
７ｂ        遮光部、
８          可動ハウジング、            ８ａ              側壁、
８ｂ        待避可能突起、              ８ｃ              支持部、
８ｄ        突起、                      ８ｅ              ガイド部、
８ｆ        係止溝、  
９          弾性部材（コイルスプリング）、
１０，１０ａ    アダプタ、  
１０ｂ      開口部、                    １０ｃ            側縁部、
１１        カップリング。
【図１】
2011013606.tif 000003
【図２】
2011013606.tif 000004
【図３】
2011013606.tif 000005
【図４】
2011013606.tif 000006
【図５】
2011013606.tif 000007
【図６】
2011013606.tif 000008
【図７】
2011013606.tif 000009
【図８】
2011013606.tif 000010
【図９】
2011013606.tif 000011
【図１０】
2011013606.tif 000012
【図１１】
2011013606.tif 000013
【図１２】
2011013606.tif 000014
【図１３】
2011013606.tif 000015
【図１４】
2011013606.tif 000016
【図１５】
2011013606.tif 000017
【図１６】
2011013606.tif 000018